(57)【特許請求の範囲】
【請求項１】
記録媒体、この記録媒体にデータを記録する記録手段、および上記記録媒体に記録されたデータを再生する再生手段を有し、入力されるデジタル映像音声信号からなる番組データを上記記録手段を用いて上記記録媒体に記録し、記録された番組を上記再生手段を用いて再生する記録再生装置であって、上記記録媒体をあらかじめ複数個の領域に分割し、分割された記憶媒体の各領域に単一の番組の全部または一部を記録するようにすると共に、上記記録媒体を分割した上記領域の大きさを、記録手段が上記記録媒体に対して連続して記録を行うことのできる最大記録データサイズよりも大きくしたことを特徴とする記録再生装置。
【請求項２】
記録媒体を分割した１つの領域の大きさを、記録手段が上記記録媒体に対して連続して記録を行うことのできる最大記録データサイズの整数倍にしたことを特徴とする請求項１記載の記録再生装置。
【請求項３】
記録媒体を分割した領域群を、記録されている番組時間一定の時間単位にさらに分割し、再生手段は上記時間単位を基準として再生開始するようにしたことを特徴とする請求項１または請求項２記載の記録再生装置。
【請求項４】
記録媒体を分割した領域群を、記録されている番組データ量一定の単位にさらに分割し、上記番組データ量一定の単位に含まれる同一番組の複数個の時刻情報を使用して番組データ量一定の単位を時間単位に換算し、再生手段は換算された上記時間単位を基準として再生開始するようにしたことを特徴とする請求項１または請求項２記載の記録再生装置。
【請求項５】
分割された記録媒体の領域群とその領域群に記録されている番組群とを関連付ける情報を上記記録媒体とは別の不揮発性メモリに保管するようにしたことを特徴とする請求項１乃至請求項４のいずれか一項記載の記録再生装置。
【請求項６】
分割された記録媒体の領域群とその領域群に記録されている番組群とを関連付ける情報を上記記録媒体に保管するようにしたことを特徴とする請求項１乃至請求項４のいずれか一項記載の記録再生装置。
【請求項７】
分割された記録媒体の領域群とその領域群に記録されている番組群とを関連付ける情報を上記記録媒体とは別の不揮発性メモリと上記記録媒体とに分散して保管するようにしたことを特徴とする請求項１乃至請求項４のいずれか一項記載の記録再生装置。
【発明の詳細な説明】
【０００１】
【発明の属する技術分野】
この発明は記録再生機能を有するデジタル放送受信機に使用される記録再生装置に関するものである。
【０００２】
【従来の技術】
デジタル放送で採用されるＭＰＥＧ（Ｍｏｖｉｎｇ  Ｐｉｃｔｕｒｅｓ  Ｅｘｐｅｒｔｓ  Ｇｒｏｕｐ）ストリームを記録再生する従来の装置として特開平１１−３９８５０号公報に示された記録再生装置がある。図９はその特開平１１−３９８５０号公報に示されたコンピュータを基にした記録再生装置を示すもので、図において、９０１はマイクロプロセッサ、９０２はメインメモリ、９０３はバスブリッジ、９０４はＩ／Ｏ（Ｉｎｐｕｔ／Ｏｕｔｐｕｔ）インターフェース、９０５は補助記憶インターフェース、９０６は補助記憶インターフェース９０５に接続されたハードディスク、９０７はＴＶチューナを内蔵したＭＰＥＧリアルタイムエンコーダボード、９０８はＡＶ処理回路、９０９はＡＶ処理回路９０８が画像表示処理に使用するメモリ（ＶＲＡＭ）である。
【０００３】
マイクロプロセッサ９０１、メインメモリ９０２、およびバスブリッジ９０３は、相互に内部バスを介して接続されており、残りのブロックは拡張バスを介して相互に接続されている。バスブリッジ９０３は、内部バスと、例えばＰＣＩ（Ｐｅｒｉｐｈｅｒａｌ  Ｃｏｍｐｏｎｅｎｔ  Ｉｎｔｅｒｃｏｎｎｅｃｔ）バスやＩＳＡ（Ｉｎｄｕｓｔｒｙ  Ｓｔａｎｄａｒｄ  Ａｒｃｈｉｔｅｃｔｕｒｅ）バスなどの拡張バスとの間でのデータのやりとりを制御している。
【０００４】
拡張バスには、補助記憶インターフェース９０５、ＭＰＥＧリアルタイムエンコーダボード９０７、ＡＶ処理回路９０８が接続され、補助記憶インターフェース９０５にはハードディスク９０６が接続されている。
【０００５】
マイクロプロセッサ９０１は、ハードディスク９０６に記録されたオペレーティングシステムの制御の下、同ハードディスク９０６に記録された各種のアプリケーションプログラムを実行することで、例えば、画像の記録、再生、編集、デコード処理や、その他の所定の処理を行う。
【０００６】
ＭＰＥＧリアルタイムエンコーダボード９０７は、画像および音声をリアルタイムで、例えば、ＭＰＥＧ１の規格に準拠してエンコードするものであり、テレビジョン放送番組を受信するＴＶチューナを内蔵しており、このＴＶチューナが受信した番組をＭＰＥＧエンコードすることができる。
【０００７】
ＡＶ処理回路９０８は、例えば、ＶＧＡ（Ｖｉｄｅｏ  Ｇｒａｐｈｉｃｓ  Ａｒｒａｙ）や３次元アクセラレータ（いずれも図示せず）などで構成され、ディスプレイへの表示やスピーカへの音声出力を行う。また、ＡＶ処理回路９０８は、ＮＴＳＣエンコーダを内蔵しており、例えば、ＶＴＲなどにＮＴＳＣ方式に準拠した画像を出力することができる。
【０００８】
ハードディスク９０６に記録されているアプリケーションプログラムにより、画像の記録、再生、編集、デコードなどの処理がなされる。例えば、ＭＰＥＧリアルタイムエンコーダボード９０７のＴＶチューナで受信したテレビジョン放送番組をＭＰＥＧストリームにエンコードし、そのデータを拡張バスを介してハードディスク９０６に記録する。さらには、その記録中に、既に録画済みの映像（画像）の任意の場面の再生なども行うようになされている。
【０００９】
【発明が解決しようとする課題】
以上のように構成された従来の記録再生装置では、コンピュータを基本とし、ハードディスク上へのデータ記録はオペレーティングシステムが提供するファイルシステムに則して実行されるために、ファイルシステムが複雑となってしまうという難点があった。
【００１０】
また、コンピュータのファイルシステムはサイズの小さなファイルも効率的に記録可能なように構成されているので、記録と消去を繰り返すことで、１つのストリームをハードディスク上に連続的に記録することができず、記録の断片化が進行し、その断片化解消の処理（デフラグメント）が必要であった。
【００１１】
また、コンピュータのファイルシステムに従った記録方法では、頭出しや飛び越し再生等の特殊再生を行うためには一旦データを全て読み出す必要があるため、特殊再生を高速に行うことが困難であった。
【００１２】
また、ＭＰＥＧストリームをコンピュータと同様なファイルシステムを用いたファイルとして管理しているために、ハードディスク内部のコピーやハードディスクの付け替え等により容易に複製ができてしまうなどの問題があった。
【００１３】
この発明は上記のような問題点を解消するためになされたもので、ハードディスク等の記録媒体にＭＰＥＧストリームから構成される番組を記録する際に、ファイルシステムを簡略化した記録再生装置を得ることを目的としている。
【００１４】
また、ハードディスク等の記録媒体にＭＰＥＧストリームから構成される番組の記録と再生を繰り返した場合でも断片化の進行を抑えることが可能な記録再生装置を得ることを目的としている。
【００１５】
また、ハードディスク等の記録媒体にＭＰＥＧストリームから構成される番組を記録する際に、容量に対する記録効率の高い記録再生装置を得ることを目的としている。
【００１６】
また、ハードディスク等の記録媒体に記録されたＭＰＥＧストリームから構成される番組に対して、容易に特殊再生を行うことが可能な記録再生装置を得ることを目的としている。
【００１７】
また、ハードディスク等の記録媒体に記録されたＭＰＥＧストリームから構成される番組が、番組毎に伝送レートが異なるような場合でも、容易に特殊再生を行うことが可能な記録再生装置を得ることを目的としている。
【００１８】
また、ハードディスク等の記録媒体を付け替えた場合でも、他の装置からは番組データを容易に取り出すことができない記録再生装置を得ることを目的としている。
【００１９】
あるいは、ハードディスク等の記録媒体を付け替えた場合でも、他の装置からは番組データを容易に取り出すことができる記録再生装置を得ることを目的としている。
【００２０】
あるいは、ハードディスク等の記録媒体を付け替えた場合でも、他の装置からは番組データを容易に取り出すことができないと同時に、装置を安価にする記録再生装置を得ることを目的としている。
【００２１】
【課題を解決するための手段】
この発明に係る記録再生装置は、記録媒体、この記録媒体にデータを記録する記録手段、および上記記録媒体に記録されたデータを再生する再生手段を有し、入力されるデジタル映像音声信号からなる番組データを上記記録手段を用いて上記記録媒体に記録し、記録された番組を上記再生手段を用いて再生する記録再生装置であって、上記記録媒体をあらかじめ複数個の領域に分割し、分割された記憶媒体の各領域に単一の番組の全部または一部を記録するようにすると共に、上記記録媒体を分割した上記領域の大きさを、記録手段が上記記録媒体に対して連続して記録を行うことのできる最大記録データサイズよりも大きくしたものである。
【００２３】
また、記録媒体を分割した１つの領域の大きさを、記録手段が上記記録媒体に対して連続して記録を行うことのできる最大記録データサイズの整数倍にしたものである。
【００２４】
また、記録媒体を分割した領域群を、記録されている番組時間一定の時間単位にさらに分割し、再生手段は上記時間単位を基準として再生開始するようにしたものである。
【００２５】
また、記録媒体を分割した領域群を、記録されている番組データ量一定の単位にさらに分割し、上記番組データ量一定の単位に含まれる同一番組の複数個の時刻情報を使用して番組データ量一定の単位を時間単位に換算し、再生手段は換算された上記時間単位を基準として再生開始するようにしたものである。
【００２６】
また、分割された記録媒体の領域群とその領域群に記録されている番組群とを関連付ける情報を上記記録媒体とは別の不揮発性メモリに保管するようにしたものである。
【００２７】
また、分割された記録媒体の領域群とその領域群に記録されている番組群とを関連付ける情報を上記記録媒体に保管するようにしたものである。
【００２８】
また、分割された記録媒体の領域群とその領域群に記録されている番組群とを関連付ける情報を上記記録媒体とは別の不揮発性メモリと上記記録媒体とに分散して保管するようにしたものである。
【００２９】
【発明の実施の形態】
実施の形態１．
図１はこの発明の実施の形態１に係る記録再生装置を示すもので、図において、１は例えばＭＰＥＧ２トランスポートストリーム等の入力デジタル映像音声信号、２はＦＩＦＯ（Ｆｉｒｓｔ  Ｉｎ  Ｆｉｒｓｔ  Ｏｕｔ）メモリ等により構成される入力バッファ装置、３は記録装置、４はハードディスク等の記録媒体、５は再生装置、６はＦＩＦＯメモリ等により構成される出力バッファ装置、７は出力デジタル映像音声信号である。
【００３０】
８はＣＰＵ（Ｃｅｎｔｒａｌ  Ｐｒｏｃｅｓｓｉｎｇ  Ｕｎｉｔ、中央演算装置）、９はＣＰＵ８から制御されるＣＰＵバス、１０はＣＰＵバス９上に接続されているメモリ装置、１１はメモリ装置１０内に格納されているファイルシステムである。
【００３１】
１０１は記録媒体４を分割した記録領域（ゾーン）、１０２は記録媒体４に記録されている第１の番組、１０３は記録媒体４に記録されている第２の番組である。
【００３２】
次に動作を説明する。入力デジタル映像音声信号１は、例えばデジタル衛星放送等を受信した信号で、ＭＰＥＧ２トランスポートストリーム形式に従って圧縮符号化された映像や音声信号から構成される番組を伝送している。番組記録時の動作は、入力デジタル映像音声信号１が、一旦入力バッファ装置２により一定量をバッファリング（蓄積）された後、記録装置３により記録媒体４にバースト的に記録される。
【００３３】
記録媒体４はＮ個の記録領域であるゾーン１０１にあらかじめ分割されており、１つのゾーン（例えばゾーン１）は単一の番組（例えば番組１）の全部または一部を記録するように構成されている。番組（例えば番組２）が長時間にわたるような場合、複数のゾーン（例えばゾーン２とゾーン３）に記録されるが、ある一つのゾーンが複数の異なる番組（例えば第１の番組１０２と第２の番組１０３）を同時に含むことはない。
【００３４】
番組再生時の動作は、再生装置５によって、再生する番組に該当するゾーンの先頭からデータを読み出し、出力バッファ装置６にバースト的に伝送して一旦バッファリングする。出力バッファ装置６は後段のデコーダ装置（図示せず）に出力デジタル映像音声信号７を伝送し、映像音声データを復号させることで再生映像音声を得る。入力バッファ装置２、記録装置３、再生装置５、出力バッファ装置６は、それぞれＣＰＵバス９に接続されており、ＣＰＵ８から制御される。
【００３５】
本実施の形態１では、図に示すように、第１のゾーン（図中ゾーン１）中に第１の番組１０２が、第２と第３のゾーン（図中ゾーン２とゾーン３）に第２の番組１０３が記録されており、各ゾーンと記録された番組を関連付ける情報すなわちファイルシステム１１は、メモリ装置１０内に格納されているものとする。ファイルシステム１１の構成は、最大でも番組数とゾーン数Ｎのマトリクスで表すことが可能で、例えばコンピュータで使用されているファイルシステムに比較して簡略化することができる。
【００３６】
また、ゾーン１０１の数Ｎと記録する番組の数を一定にすることで、ハードディスク等で構成される記録媒体４の容量に関わらず、同じファイルシステム１１を使用することが可能で、装置を安価にすることができる。
【００３７】
実施の形態２．
図２はこの発明の実施の形態２に係る記録再生装置を示すもので、図において、１０４は第１と第３と第５のゾーン（図中ゾーン１とゾーン３とゾーン５）に分割されて格納されている第３の番組、１０５は、記録手段が記録媒体に対して連続して記録を行うことのできる最大記録データサイズである最大ＤＭＡ（Ｄｉｒｅｃｔ  Ｍｅｍｏｒｙ  Ａｃｃｅｓｓ）転送単位であり、その他は実施の形態１と同様である。記録媒体４に対して記録と消去を繰り返した場合、このように１つの番組が連続しないゾーンに分割されて記録されることがある。
【００３８】
一般的に記録媒体としてハードディスクを使用したコンピュータシステム等の場合、ファイルが分断化されると、データの再生時に連続したデータ転送が難しくなり、実際のデータ転送の時間に対してヘッド・シーク時間等の機構的なオーバーヘッドが相対的に増加し、総合的にデータ転送のパフォーマンスが低下する。これを防ぐために、定期的に分断化を解消するようファイルをハードディスクの連続した領域に再配置し、同時にファイルシステムを更新する等の処理（デフラグメント）が必要になる。
【００３９】
本実施の形態２では、ゾーン１０１のサイズは、データの最大記録単位に比較して十分大きくなるようにＮの値が選定されている。例えば記録媒体４がＩＤＥ（Ｉｎｔｅｇｒａｔｅｄ  Ｄｒｉｖｅ  Ｅｌｅｃｔｒｏｎｉｃｓ）方式のハードディスクである場合、１回のＤＭＡ転送の最大値である１２８ｋＢに比較して、ゾーン１０１が十分大きなサイズとなるようにＮの値を選定している。
【００４０】
従って、番組データの分断化が最大Ｎ個まで進行したとしても、ゾーン１０１のサイズが十分に大きければ最大サイズでＤＭＡ転送を行うことが可能で、記録や再生時にヘッド・シーク時間等の機構的なオーバーヘッドを、実際のデータ転送時間に比較して相対的に小さくすることができる。すなわち、ある番組が連続的でないゾーン１０１に分割されて記録されていたとしても、再生時に十分なデータ転送パフォーマンスを得ることが可能になるため、第３の番組１０４を連続したゾーンに再配置する必要がなく、記録媒体４とファイルシステムの管理を簡略化することが可能になる。
【００４１】
実施の形態３．
図３はこの発明の実施の形態３に係る記録再生装置を示すもので、図において、１０６は第１と第２のゾーン（図中ゾーン１とゾーン２）にまたがって記録されている第６の番組で、その他は実施の形態２と同様である。ここで最大ＤＭＡデータ転送単位１０５は、記録装置３が記録媒体４に対して一度に連続して記録可能な最大データ転送単位であり、各ゾーン１０１は最大ＤＭＡデータ転送単位１０５の整数倍になるようにＮの値が選定されている。
【００４２】
例えば、記録媒体４がＩＤＥ方式のハードディスクの場合、最大ＤＭＡデータ転送単位１０５は１２８ｋＢ（５１２Ｂ×２５６セクタ）であるが、一般的に番組データはそれに比較して非常にサイズが大きい。例えばデジタル衛星放送などの場合、データレートは約２６Ｍｂｐｓで、１０分間の番組で２ＧＢ近くに達する。従って入力バッファ装置２で十分にバッファリングしたとしても、一度のＤＭＡ転送で記録媒体４に番組データを全て記録するのは不可能で、ＤＭＡ転送を複数回繰り返さなければならない。
【００４３】
この場合、各ゾーン１０１のサイズが最大ＤＭＡデータ転送単位１０５の整数倍に設定されていれば、常に最大のＤＭＡ転送を繰り返すことが可能で、かつゾーン１０１に過不足なく番組データ記録することが可能になり、記録媒体４の記録効率を高めることができる。
【００４４】
また、ＣＰＵ８から入力バッファ装置２や記録装置３の制御を行う場合も、１回のデータ転送サイズを変化させることなく記録を行うことができるため、制御手順を簡略化することができる。
【００４５】
また、記録媒体４に対してＤＭＡ転送ではなく、例えばＰＩＯ（Ｐｒｏｇｒａｍｍａｂｌｅ  Ｉｎｐｕｔ／Ｏｕｔｐｕｔ）転送を用いて記録を行うような場合でも、同様の効果を奏する。
【００４６】
実施の形態４．
図４はこの発明の実施の形態４に係る記録再生装置を示すもので、図において、１０７は各ゾーン１０１に記録されている第６の番組１０６を構成する記録時間単位である。一般に放送用途では、番組ストリームは固定データレートを採用している場合が多く、固定サイズのゾーン１０１に記録した場合には自動的に各ゾーン１０１に記録される番組時間は一定となる。本実施の形態では、１つのゾーン１０１をＭ個の時間単位１０７に分割しており、また時間単位１０７はさらに整数個の最大ＤＭＡデータ転送単位１０５から構成されているものとする。
【００４７】
例えば、第６の番組１０６を、先頭からある時間経過した位置から再生する場合、経過時間を時間単位１０７を基準にサーチする。例えば第２の時間単位（図中Ｔ２）の先頭に相当する最大ＤＭＡデータ転送単位１０５から再生を行うことにより、番組冒頭から時間単位（図中Ｔ１）だけ経過した位置からの再生を可能にする。
【００４８】
また、番組を再生中に現在の再生位置からある時間前または後の位置から再生を行う場合も、上記と同様に時間単位１０７を基準に再生開始位置をずらすことで対応が可能である。
【００４９】
分割された時間単位１０７は、ゾーン１０１に対して小さい程、特殊再生時の時間的な分解能は向上するが、最大ＤＭＡデータ転送単位１０５よりも小さくなると、データ転送サイズを変化させる必要が生じるために全体的なデータ転送パフォーマンスを損なう。また、逆に時間単位１０７を十分大きくすることで、制御を簡略化することができるが、特殊再生時の時間的な分解能は低下する。
【００５０】
実施の形態５．
図５はこの発明の実施の形態５に係る記録再生装置を示すもので、図において、１０８は記録されている第６の番組１０６のデータに含まれるＰＣＲ（Ｐｒｏｇｒａｍ  Ｃｌｏｃｋ  Ｒｅｆｅｒｅｎｃｅ、時刻情報）で、その他は実施の形態４と同様である。ＩＳＯ／ＩＥＣ１３８１８−１で規定されたＭＰＥＧ２トランスポートストリームの場合、ＰＣＲ１０８を１秒間に１０回以上伝送することが定められているため、時間単位１０７に１／１０秒以上の番組を記録する場合、少なくとも時間単位１０７に１つ以上のＰＣＲ１０８を含むことになる。
【００５１】
例えば、ＨＤＴＶ（Ｈｉｇｈ  Ｄｉｆｉｎｉｔｉｏｎ  ＴｅｌｅＶｉｓｉｏｎ）放送やＳＤＴＶ（Ｓｔａｎｄａｒｄ  Ｄｉｆｉｎｉｔｉｏｎ  ＴｅｌｅＶｉｓｉｏｎ）放送が混在している等、番組によりデータレートが異なる場合には、前記実施の形態４に示したような、記録されたデータ量と番組時間を単純に関連付けて特殊再生を行うことが困難になる。
【００５２】
このような場合には、例えば第１のゾーン（図中ゾーン１）の時間単位（図中Ｔ１）に含まれるＰＣＲ１０８の値と、第２のゾーン（図中ゾーン２）の時間単位に含まれるＰＣＲ１０８の値を比較することにより記録されたデータ量と記録時間の関係を算出することが可能になる。データサイズと記録時間の関係が明らかになれば、前記実施の形態４と同様の手法を用いて特殊再生が可能になる。
【００５３】
また、本実施の形態では、記録されたデータ量と記録時間の関係を算出する際に、同じ番組が記録された隣り合うゾーン１０１に含まれるＰＣＲ１０８の値を比較したが、例えば同一ゾーン１０１に含まれる時間単位１０７に含まれるＰＣＲ１０８の値を比較してもよい。
【００５４】
実施の形態６．
図６はこの発明の実施の形態６に係る記録再生装置を示すもので、図において、１２はＣＰＵバス９上に配置された不揮発性メモリ、１３は不揮発性メモリ１２内に格納されたファイルシステムである。１０９は第７の番組、１１０は第８の番組、１１１は第９の番組である。
【００５５】
本実施の形態においては、第７の番組１０９は第１と第２のゾーン（図中ゾーン１と２）に、第８の番組１１０は第３と第４のゾーン（図中ゾーン３と４）に、第９の番組１１１は第５のゾーン（図中ゾーン５）にそれぞれ記録されているものとする。ファイルシステム１３は、このような各ゾーンと記録されている各番組とを関連付ける情報であり、各番組を記録媒体４に記録する時にＣＰＵ８により更新され、再生時にはそのファイルシステム１３に従って再生が行われる。ファイルシステム１３はこのように、再生時に使用される情報であるため、例えば装置自体の電源断時も内容を保持しておく必要があるが、本実施の形態に示すように、フラッシュメモリ等により構成される不揮発性メモリ１２内に格納しておくことで、その内容を保持することが可能になる。
【００５６】
このようにファイルシステム１３を記録媒体４とは別に格納しておくことで、例えばハードディスク等の記録媒体４を取り外して他の同等な受信機に付け替えた場合に、記録されている番組を認識するためのファイルシステム１３がないため番組を再生することが不可能となり、不正コピーあるいは不正視聴を防ぐことが可能になる。これは、記録媒体４に例えば有料放送を記録するような場合に、最も効果を発揮する。
【００５７】
また、本実施の形態では、ファイルシステム１３を不揮発性メモリ１２内に格納しておくものとしたが、通常動作時はメモリ装置１０内に格納しておき、装置の電源断の前に不揮発性メモリ１２内に待避させ、逆に電源投入時に不揮発性メモリ１２からメモリ装置１０内に展開するといった運用をしても同様の効果を奏する。
【００５８】
実施の形態７．
図７はこの発明の実施の形態７に係る記録再生装置を示すもので、図において、１１２は記録媒体４内に格納されたファイルシステムである。その他は実施の形態６と同様である。
【００５９】
本実施の形態においては、第７の番組１０９は第１と第２のゾーン（図中ゾーン１と２）に、第８の番組１１０は第３と第４のゾーン（図中ゾーン３と４）に、第９の番組１１１は第５のゾーン（図中ゾーン５）にそれぞれ記録されているものとする。ファイルシステム１１２は、このような各ゾーン１０１と記録されている各番組とを関連付ける情報であり、各番組を記録媒体４に記録する時にＣＰＵ８により更新され、再生時にはそのファイルシステム１１２に従って再生が行われる。ファイルシステム１１２はこのように、再生時に使用される情報であるため、例えば装置自体の電源断時も内容を保持しておく必要があるが、本実施の形態に示すように、記録媒体４内に格納しておくことで、その内容を保持することが可能になる。
【００６０】
このようにファイルシステム１１２を記録媒体４内部に格納しておくことにより、ハードディスク等の記録媒体４を他の受信機に移動させた場合でも、ファイルシステム１１２を同時に移動することになるので再生が可能となる。従って著作権上の問題がない無料放送番組のみを記録しているような場合等、携帯性を持たせることができる。特に記録媒体４としてリムーバブルなハードディスク等の着脱可能なメディアを使用した場合に最も効果を発揮する。
【００６１】
また、本実施の形態ではファイルシステム１１２を記録媒体４内に格納しておくものとしたが、通常動作時はメモリ装置１０内に格納しておき、装置の電源断の前に記録媒体４内に待避させ、逆に電源投入時に記録媒体４からメモリ装置１０内に展開するといった運用をしても同様の効果を奏する。
【００６２】
実施の形態８．
図８はこの発明の実施の形態８に係る記録再生装置を示すもので、図において、１４は不揮発性メモリ１２内に格納された第１のファイルシステム、１１３は記録媒体４内に格納された第２のファイルシステムである。その他は実施の形態６または実施の形態７と同様である。
【００６３】
本実施の形態においては、第７の番組１０９は第１と第２のゾーン（図中ゾーン１と２）に、第８の番組１１０は第３と第４のゾーン（図中ゾーン３と４）に、第９の番組１１１は第５のゾーン（図中ゾーン５）にそれぞれ記録されているものとする。第１のファイルシステム１４と第２のファイルシステム１１３は、このような各ゾーン１０１と記録されている各番組とを関連付ける情報であり、各番組を記録媒体４に記録するときにＣＰＵ８により更新され、再生時にはその第１のファイルシステム１４と第２のファイルシステム１１３に従って再生が行われる。
【００６４】
第１のファイルシステム１４と第２のファイルシステム１１３は、このように、再生時に使用される情報であるため、例えば装置自体の電源断時も内容を保持しておく必要があるが、本実施の形態に示すように不揮発性メモリ１２と記録媒体４内に格納しておくことで、その内容を保持することが可能になる。
【００６５】
また、本実施の形態では各ゾーン１０１と記録されている各番組とを関連付ける情報を、あえて不揮発性メモリ１２と記録媒体４に分散させて保管し、第１のファイルシステム１４と第２のファイルシステム１１３が揃って初めて再生が可能となるように構成している。これにより、例えばハードディスク等の記録媒体４を他の受信機に移動させた場合に、第１のファイルシステム１４がないため番組を再生することが不可能となる。また、第１のファイルシステム１４と第２のファイルシステム１１３を全て不揮発性メモリ１２に保管する実施の形態６に比較して、不揮発性メモリ１２の容量を小さく抑えることが可能である。一般に不揮発性メモリ１２は、容量が小さくなるほど安価であるため、結果的に安価な記録再生装置を得ることができる。
【００６６】
なお、本実施の形態では、第１のファイルシステム１４と第２のファイルシステム１１３を、それぞれ不揮発性メモリ１２と記録媒体４に格納しておくものとしたが、通常動作時はメモリ装置１０内に格納しておき、装置の電源断の前に不揮発性メモリ１２と記録媒体４内に待避させ、逆に電源投入時にメモリ装置１０内に展開するといった運用をしても同様の効果を奏する。
【００６７】
【発明の効果】
以上のようにこの発明によれば、ハードディスク等の記録媒体を一定サイズの複数領域（ゾーン）に分割して、分割された領域毎に同じ番組の全部または一部を記録するように構成したので、ファイルシステムを簡略化することができる。
【００６８】
また、分割する領域のサイズを最大データ転送サイズに対して十分大きくとることで、記録データの分断化をある程度以上には進行させず、また番組が複数ゾーンにまたがって記録されている場合でも番組再配置を行う必要がない。
【００６９】
また、分割する領域のサイズを最大データ転送サイズの整数倍に設定することで、記録媒体に番組データを記録する効率を向上させることができる。
【００７０】
また、一定サイズに分割された領域単位で記録された一定レートのＭＰＥＧストリームから構成される番組を再生することで、頭出し再生や飛び越し再生等の特殊再生を容易に行うことができる。
【００７１】
また、一定サイズに分割された領域中に含まれる２つ以上の時刻情報を比較して、記録されたデータ量と番組時間の関係を算出するように構成したので、その情報に基づいて頭出し再生や飛び越し再生等の特殊再生を容易に行うことができる。
【００７２】
また、記録された番組と記録された領域とを関連付ける記録情報を記録媒体とは異なる媒体に記録するように構成したので、記録媒体を取り外して他に転用する等の不正コピーを防ぐことができる。
【００７３】
また、記録された番組と記録された領域を関連付ける記録情報を記録媒体自体に記録するように構成することにより、記録媒体の携帯性を向上させることができる。
【００７４】
また、記録された番組と記録された領域とを関連付ける情報を不揮発性メモリと記録媒体とに分散して記録することにより、記録媒体を取り外す等の不正コピーを防ぐことができると同時に、不揮発性メモリの容量を小さく抑えて記録再生装置のコストを低減することができる。
【図面の簡単な説明】
【図１】  この発明の実施の形態１に係る記録再生装置を示すブロック構成図である。
【図２】  この発明の実施の形態２に係る記録再生装置を示すブロック構成図である。
【図３】  この発明の実施の形態３に係る記録再生装置を示すブロック構成図である。
【図４】  この発明の実施の形態４に係る記録再生装置を示すブロック構成図である。
【図５】  この発明の実施の形態５に係る記録再生装置を示すブロック構成図である。
【図６】  この発明の実施の形態６に係る記録再生装置を示すブロック構成図である。
【図７】  この発明の実施の形態７に係る記録再生装置を示すブロック構成図である。
【図８】  この発明の実施の形態８に係る記録再生装置を示すブロック構成図である。
【図９】  従来の記録再生装置を示すブロック構成図である。
【符号の説明】
１  入力デジタル映像音声信号、
２  入力バッファ装置、
３  記録装置、                    ４  記録媒体、
５  再生装置、                    ６  出力バッファ装置、
７  出力デジタル映像音声信号、
８  ＣＰＵ、                      ９  ＣＰＵバス、
１０  メモリ装置、                １１  ファイルシステム、
１２  不揮発性メモリ、            １３  ファイルシステム、
１４  第１のファイルシステム、
１０１  ゾーン、                  １０２  第１の番組、
１０３  第２の番組、              １０４  第３の番組、
１０５  最大ＤＭＡデータ転送単位、
１０６  第６の番組、              １０７  記録時間単位、
１０８  ＰＣＲ（時刻情報）、      １０９  第７の番組、
１１０  第８の番組、              １１１  第９の番組、
１１２  ファイルシステム、        １１３  第２のファイルシステム。
【図１】
0003872929.tif 000002
【図２】
0003872929.tif 000003
【図３】
0003872929.tif 000004
【図４】
0003872929.tif 000005
【図５】
0003872929.tif 000006
【図６】
0003872929.tif 000007
【図７】
0003872929.tif 000008
【図８】
0003872929.tif 000009
【図９】
0003872929.tif 000010